(57)【要約】【課題】簡単で安価な機構により左右のスライドピンをロック解除の相反する方向への軸移動を可能としたグローブボックスリッドのサイドロック機構を提供する。【解決手段】グローブボックスのリッドにスプリング１０により左右方向に軸移動してグローブボックスの側壁に開設されているロック穴７ａ、７ｂに係合し、操作ノブ５によりロック穴７ａ、７ｂより係合を解除する左右一対のスライドピン２ａ、２ｂを設けているサイドロック機構において、左右一対のスライドピン２ａ、２ｂ間に枢軸４により回転可能に中継ピン３を軸支し、この中継ピン３と左右一対のスライドピン２ａ、２ｂをインテグラルヒンジ９ａ、９ｂによって連結し、操作ノブ５により左右一対のスライドピン２ａ、２ｂを中継ピン３を介してロック穴７ａ、７ｂより係合を解除する方向に軸移動するようにした。【選択図】　　　　図２
2004114722.tif 000002
【特許請求の範囲】
【請求項１】
インストルメントパネルの助手席側に設けられているグローブボックスのリッドにスプリングにより左右方向に軸移動してグローブボックスの側壁に開設されているロック穴に係合し、操作ノブにより前記ロック穴より係合を解除する左右一対のスライドピンを設けているサイドロック機構において、前記左右一対のスライドピン間に枢軸により回転可能に中継ピンを軸支し、この中継ピンと前記左右一対のスライドピンをインテグラルヒンジによって連結し、前記操作ノブにより前記左右一対のスライドピンを前記中継ピンを介して前記ロック穴より係合を解除する方向に軸移動するようにしたことを特徴とするグローブボックスリッドのサイドロック機構。
【発明の詳細な説明】
【０００１】
【発明の属する技術分野】
本発明は、インストルメントパネルの助手席側に設けられているグローブボックスリッドのサイドロック機構に関するものである。
【０００２】
【従来の技術】
【非特許文献】図５で示すグローブボックスリッドのサイドロック機構が一般周知である。
【０００３】
図３で示すようにインストルメントパネル１１の助手席側に設けられているグローブボックス１２のリッドのロック機構として、リッドに設けられているスライドピンをグローブボックス１１の両側壁に設けられているロック穴７ｂ（一方のロック穴は図示されていない）に係脱する構造のものが採用されている。その具体的な構造は図５で示すように、スプリング１０によりグローブボックス１１の側壁６に設けられているロック穴７ａ、７ｂに係合してリッドをグローブボックス１１の両側壁にロックする方向に軸移動するよう常に付勢された左右一対のスライドピン２０ａ、２０ｂのそれぞれの対向部にラック２１ａ、２１ｂを設け、このラック２１ａ、２１ｂの間にピニオン２２を介装し、一方のスライドピン２０ａに設けられている凹溝８に図略の操作ノブを係合して、この操作ノブの操作によって前記一方のスライドピン２０ａを図において右側に軸移動させることにより前記ラック２１ａ、２１ｂとピニオン２２との機構で他方のスライドピン２０ｂがスプリング１０の付勢力に抗して左側に軸移動し、両スライドピン２０ａ、２０ｂがロック穴７ａ、７ｂより係合を解除してリッドをアンロックするようにしている。
【０００４】
【発明が解決しようとする課題】
上記従来のサイドロック機構では、両スライドピン２０ａ、２０ｂを軸移動させるためのラックアンドピニオン機構の２部品が必要でありコストを高くしていると共に、２１ａ、２１ｂとピニオン２２との噛み合いの遊びによりガタツキが生じる問題があった。
【０００５】
本発明の目的は、簡単で安価な機構により左右のスライドピンをロック解除の相反する方向への軸移動を可能としたグローブボックスリッドのサイドロック機構を提供することである。
【０００６】
【課題を解決するための手段】
上記の目的を達成するための本発明は、請求項１に記載した通り、インストルメントパネルの助手席側に設けられているグローブボックスのリッドにスプリングにより左右方向に軸移動してグローブボックスの側壁に開設されているロック穴に係合し、操作ノブにより前記ロック穴より係合を解除する左右一対のスライドピンを設けているサイドロック機構において、前記左右一対のスライドピン間に枢軸により回転可能に中継ピンを軸支し、この中継ピンと前記左右一対のスライドピンをインテグラルヒンジによって連結し、前記操作ノブにより前記左右一対のスライドピンを前記中継ピンを介して前記ロック穴より係合を解除する方向に軸移動するようにしたことを特徴とするものである。
【０００７】
【発明の実施の形態】
以下本発明の実施の形態を図面に基づいて説明する。図１において、１は図３で示すインストルメントパネル１１のグローブボックス１２の開口部にヒンジによって開閉するリッドであり、アウタボード１ａとインナボード１ｂとにより構成され、アウタボード１ａとインナボード１ｂとの間の空間部に左側スライドピン２ａと右側スライドピン１ｂとが左右の軸線方向に軸移動可能に設けられている。
【０００８】
本発明は図２にも示すように、前記左側スライドピン１ａと右側スライドピン１ｂと間に枢軸４により回転可能に中継ピン３を軸支し、この中継ピンと前記左右一対のスライドピンをインテグラルヒンジ９ａ、９ｂによって連結し、操作ノブ５により前記左右側のスライドピン１ａ、１ｂを前記中継ピン３を介してグローブボックス１１の側壁に開設されているロック穴７ａ、７ｂより係合を解除する方向に軸移動するようにしたものである。
【０００９】
前記中継ピン３により連結されている左右側スライドピン１ａ、１ｂは右側スライドピン１ｂをスプリング１０によって右側のロック穴７ｂに係合する方向に軸移動するよう付勢していることにより、左側スライドピン２ａは中継ピン３を介して左側のロック穴７ａに係合する方向に軸移動してリッド１をロックするようにしている。また、操作ノブ５は左側スライドピン２ａに設けられている凹溝８に係合している。
【００１０】
本発明は上記の通りの構造であるから、操作ノブ５を操作しない場合、左右側のスライドピン１ａ、１ｂはスプリング１０によって左右方向に軸移動している状態となっていて、リッド１を開いた状態から閉じると左右側スライドピン１ａ、１ｂの先端がグローブボックス１１の側壁６に当接してスプリング１０の付勢力に抗して左側スライドピン２ａは右側に軸移動し、右側スライドピン２ｂは左側に軸移動し、左右側スライドピン１ａ、１ｂの先端が左右ロック穴７ａ、７ｂと位相を一致したところで左右側スライドピン１ａ、１ｂの先端は左右ロック穴７ａ、７ｂに係合してリッド１をグローブボックス１１にロックする。
【００１１】
前記リッド１のロック応対からアンロックする場合は、操作ノブ５により左側スライドピン２ａを右側に軸移動する。これにより左側スライドピン２ａは左側のロック穴７ａから係合を解除すると共に、左側スライドピン２ａを右側に軸移動することにより中継ピン３は枢軸４を支点にして反時計回りに回転し右側スライドピン２ｂを左側に軸移動して右側のロック穴７ｂから係合を解除する。これでリッド１を手前に引くことでグローブボックス１１の開口部は開かれる。
【００１２】
【発明の効果】
以上のように本発明によると、左右一対のスライドピンを枢軸により回転可能に軸支した中継ピンによりインテグラルヒンジによって連結し、前記中継ピンを介してロックとアンロックの方向に軸移動させる機構としたものであるから、従来のようなラックアンドピニオン機構に比較して部品点数を削減することができ、ギヤの遊びによるガタツキも解消され低コストで提供することができる利点を有している。
【図面の簡単な説明】
【図１】本発明の要部断面平面図
【図２】本発明の要部正面図
【図３】グローブボックスの斜視図
【図４】本発明を構成する部材の分解斜視図
【図５】従来のロック機構の要部正面図
【符号の説明】
１　　　リッド
１ａ　　アウタボード
１ｂ　　インナボード
２ａ　　左側スライドピン
２ｂ　　右側スライドピン
３　　　中継ピン
４　　　枢軸
５　　　操作ノブ
６　　　側壁
７ａ　　ロック穴
７ｂ　　ロック穴
８　　　凹溝
９ａ　　インテグラルヒンジ
９ｂ　　インテグラルヒンジ
１０　　　スプリング
１１　　　インストルメントパネル
１２　　　グローブボックス
【図１】
2004114722.tif 000003
【図２】
2004114722.tif 000004
【図３】
2004114722.tif 000005
【図４】
2004114722.tif 000006
【図５】
2004114722.tif 000007